(57)【要約】【課題】製造が容易なシールドされたワイヤリングハーネスを提供する。【解決手段】ワイヤリングハーネス１０は、複数の芯線１ａ、これらの芯線１ａを覆う編組線１ｂ、及び編組線１ｂを被覆する絶縁シース１ｃを備える電線１の端部にシールドコネクタ２を接続する。ワイヤリングハーネス１０は、芯線１ａを結線するコンタクトと、これらのコンタクトを実装するハウジング２１と、ハウジング２１の周囲を覆う導電性のシェル２２と、導電性の接続具３と、を備える。接続具３の一端部は、電線１の内部に挿入されて、電線１の端面から所定の距離で絶縁シース１ｃと共に剥離された編組線１ｂに接続する。接続具３の他端部は、シェル２２に接続する。【選択図】図３
2010033726.tif 000002
【特許請求の範囲】
【請求項１】
複数の芯線、これらの芯線を覆う編組線、及び編組線を被覆する絶縁シースを備える電線の端部にコネクタを接続するワイヤリングハーネスであって、
前記芯線を結線するコンタクトと、
これらのコンタクトを実装するハウジングと、
このハウジングの周囲を覆う導電性のシェルと、
一端部が前記電線の内部に挿入されて当該電線の端面から所定の距離で前記絶縁シースと共に剥離された前記編組線に接続し、他端部が前記シェルに接続する導電性の接続具と、を備えるワイヤリングハーネス。
【請求項２】
前記シェルは、Ｕ字状に開口するクリンプバレルを有し、
前記接続具は、一端部に形成された円管状の第１接続部と、他端部に形成されて、前記第１接続部の一方の管端の一部が突出して当該第１接続部の外周から所定の距離を維持して当該第１接続部の他方の管端に向けて反転する帯板状の第２接続部と、を有し、
前記第１接続部は、前記電線の内部に挿入されて当該電線の端面から所定の距離で前記絶縁シースと共に剥離された前記編組線に接続し、
前記クリンプバレルは、前記第２接続部と共に当該電線の端部を圧着して当該第２接続部を接続する請求項１記載のワイヤリングハーネス。
【請求項３】
前記シェルは、Ｕ字状に開口するクリンプバレルを有し、
前記接続具は、一端部に形成された帯板状の第３接続部と、他端部に形成されて、前記第３接続部の基端部が当該第３接続部から所定の距離を維持して当該第３接続部の先端部に向けて反転する帯板状の第４接続部と、を有し、
前記第３接続部は、前記電線の内部に挿入されて当該電線の端面から所定の距離で前記絶縁シースと共に剥離された前記編組線に接続し、
前記クリンプバレルは、前記第４接続部と共に当該電線の端部を圧着して当該第４接続部を接続する請求項１記載のワイヤリングハーネス。
【請求項４】
複数の芯線、これらの芯線を覆う編組線、及び編組線を被覆する絶縁シースを備える電線の端部にコネクタを接続するワイヤリングハーネスの製造方法であって、
前記ワイヤリングハーネスは、
前記芯線を結線するコンタクトと、
これらのコンタクトを実装するハウジングと、
このハウジングの周囲を覆う導電性のシェルと、
一端部が前記編組線に接続し、他端部が前記シェルに接続する導電性の接続具と、を備え、
前記電線の端面から所定の距離で前記絶縁シースと共に前記編組線を剥離するシース剥ぎ工程と、
前記接続具の一端部を前記シース剥ぎ工程で処理された前記電線の内部に挿入して当該編組線に接続する第１の接続工程と、
前記接続具の他端部を前記シェルに接続する第２の接続工程と、含むワイヤリングハーネスの製造方法。
【発明の詳細な説明】
【技術分野】
【０００１】
本発明は、ワイヤリングハーネスに関する。特に、多芯の電線の周りを金属の編組線で覆ったシールド線にシールドコネクタを接続したワイヤリングハーネスの構造に関する。
【背景技術】
【０００２】
ワイヤリングハーネスは、組み電線とも呼ばれ、電子化が進展した車両関連機器、又はコピー機などの事務機器の内部に組み込まれている。このような機器に使用されるワイヤリングハーネスは、電磁ノイズの影響を防止するために、電線を編組線で覆うシールド線を用い、及びこのシールド線に対応したシールドコネクタを用いてシールド対策が実施されている。
【０００３】
シールドコネクタは、外部から内部導体（芯線及びコンタクト）へ、及び内部導体からの電磁ノイズの放射を防止するように設計されたコネクタである。一般に、シールドコネクタは、電線の端末を結線したコンタクトを実装するハウジングを一対の金属製のシェルが覆っている。
【０００４】
一対の金属製のシェルがハウジングを覆うシールドコネクタとしては、安定したケーブル保持力が得られ、クランプ部の厚みが厚くならないインターフェイス用コネクタが開示されている（例えば、特許文献１参照）。
【０００５】
特許文献１によるコネクタは、電子（電気）機器間を接続するインターフェイス用コネクタであって、ケーブルとケーブルの芯線を結線する複数のコンタクトを備えている。又、特許文献１によるコネクタは、複数のコンタクトを保持するハウジング、このハウジングが装着された金属製の一対のインナーシェル、この一対のインナーシェルを覆う絶縁性のフード、及びケーブルを保持する分割された一対のクランプを備えている。
【０００６】
特許文献１によるコネクタは、クランプが円弧を形成するケーブル保持部とクランプ同士をねじ止めにより結合する結合部とを有し、結合部の自由端側に突起を設けているので、一対のケーブル保持部が開くことなく、安定したケーブル保持力が得られる、としている。
【特許文献１】特開２００１−１６０４５３号公報
【発明の開示】
【発明が解決しようとする課題】
【０００７】
一般に、電線を編組線で覆うシールド線をシールドコネクタに接続するためには、つまり、ＥＭＩ（電磁波障害）対策が施されたワイヤリングハーネスを製造するためには、以下の手順で製造される。
【０００８】
図１０から図１６は、上述したワイヤリングハーネスを製造するための従来技術による一連の製造工程を示している。
【０００９】
図１０の斜視図に示された電線１は、電線を編組線で覆うシールド線である。電線１は、複数の芯線１ａ、これらの芯線１ａを覆う筒状の金属の編組線１ｂ、及び編組線１ｂを被覆する絶縁シース１ｃで構成されている。電線１は、数本の芯線１ａが絶縁チューブ１ｄで束ねられている。数本の芯線１ａの内の１本は、グラウンド線となる裸電線である。又、電線１は、編組線１ｂと接地する撚り線からなるドレンワイヤ１ｅが設けられている。
【００１０】
最初に、図１０に示された電線１は、ワイヤリングハーネスを機器に敷設するために、その長さが調尺されて、電線１の端末が切断される（調尺・切断工程）。
【００１１】
次に、図１１の斜視図に示されるように、電線１の端面から所定の距離で絶縁シース１ｃが剥離（ストリップ）される（シース剥ぎ工程）。なお、このシース剥ぎ工程では、電線１の端面から所定の距離で編組線１ｂも切断される（編組切断工程）。
【００１２】
次に、図１２の斜視図に示されるように、編組線１ｂが絶縁シース１ｃ上に反転される（編組反転工程）。次に、図１３の斜視図に示されるように、芯線１ａを被覆する絶縁体が芯線１ａの先端から所定の距離で剥離（ストリップ）される（絶縁体剥ぎ工程）。
【００１３】
次に、図１４の斜視図に示されるように、編組線１ｂが分散しないように、銅箔テープ１ｆが反転した編組線１ｂに巻回される。なお、銅箔テープ１ｆを編組線１ｂに巻回する工程は省略することもできる。
【００１４】
次に、芯線１ａは、図示しないコンタクトに結線される。例えば、芯線１ａは、図示しないコンタクトに圧着される（端子圧着工程）。そして、このコンタクトは、図１５の斜視図に示されたシールドコネクタ２に実装される。
【００１５】
図１５において、シールドコネクタ２は、コンタクトが実装される絶縁性のハウジング２１と、ハウジング２１の周囲を囲う金属製のシェル２２と、を備えている。そして、シェル２２は、Ｕ字状に開口するクリンプバレル２２ａを有している。なお、特許文献１による一対のクランプは、クリンプバレル２２ａと同様な機能を有する。
【００１６】
図１５に示されるように、電線１の端末部がクリンプバレル２２ａの内部に当接した状態から、図１６の斜視図に示されるように、クリンプバレル２２ａを圧着すると（クリンプ工程）、ワイヤリングハーネスを製造するための一連の工程が終了する。
【００１７】
又、図１６に示されたワイヤリングハーネス９０は、シールドコネクタ２に電線１の端末部を強固に保持できる。なお、クリンプバレル２２ａは、機能として、特許文献１によるクリンプが相当している。又、ワイヤリングハーネス２０は、編組線１ｂと金属製のシェル２２が電気的に接続しているので、シールド性能が向上している。
【００１８】
しかし、ワイヤリングハーネスを製造するための従来の工程は、編組線１ｂを傷つけないように絶縁シース１ｃを剥離するシース剥ぎ工程（図１１参照）と、編組線１ｂを絶縁シース１ｃ上に反転させる編組反転工程（図１２参照）と、を含んでいる。
【００１９】
編組線１ｂを傷つけることなく、絶縁シース１ｃのみを剥離することは、相当の熟練を必要とし、このシース剥ぎ工程は、歩留まりを向上させることが困難であるという問題がある。そして、このシース剥ぎ工程及び編組反転工程を製造工程に含むことが、シールドされたワイヤリングハーネスの製造原価低減を阻害する要因の一つになっていた。
【００２０】
上述したシース剥ぎ工程及び編組反転工程を製造工程に含むことなく、編組線と金属製のシェルを電気的に接続できれば、シールドされたワイヤリングハーネスとしては、品質が向上し、製造原価の低減にも寄与できる。そして、以上のことが本発明の課題といってよい。
【００２１】
本発明は、このような問題に鑑みてなされたものであり、製造が容易なシールドされたワイヤリングハーネス及び製造方法を提供することを目的とする。
【課題を解決するための手段】
【００２２】
本発明者は、上記目的を満たすため、前述したシース剥ぎ工程では、絶縁シースの剥離と同時に編組線を剥離する方が熟練を要することなく加工容易であることを見出した。そして、この編組線と金属製のシェルを電気的に接続する接続具を用いて、この課題を解決可能なことを見出し、これに基づいて、以下のような新たなシールドされたワイヤリングハーネス及び製造方法を発明した。
【００２３】
（１）  複数の芯線、これらの芯線を覆う編組線、及び編組線を被覆する絶縁シースを備える電線の端部にコネクタを接続するワイヤリングハーネスであって、前記芯線を結線するコンタクトと、これらのコンタクトを実装するハウジングと、このハウジングの周囲を覆う導電性のシェルと、一端部が前記電線の内部に挿入されて当該電線の端面から所定の距離で前記絶縁シースと共に剥離された前記編組線に接続し、他端部が前記シェルに接続する導電性の接続具と、を備えるワイヤリングハーネス。
【００２４】
（１）の発明によるワイヤリングハーネスは、電線が複数の芯線、複数の芯線を覆う編組線、及び編組線を被覆する絶縁シースを備えている。そして、電線の端部にコネクタを接続している。
【００２５】
又、（１）の発明によるワイヤリングハーネスは、コンタクト、ハウジング、導電性のシェル、及び導電性の接続具を備えている。コンタクトは芯線を結線している。ハウジングは、複数のコンタクトを実装している。導電性のシェルは、ハウジングの周囲を覆っている。
【００２６】
そして、接続具の一端部は、電線の内部に挿入されて、電線の端面から所定の距離で絶縁シースと共に剥離された編組線に接続している。又、導電性の接続具の他端部は、シェルに接続している。
【００２７】
ここで、芯線は、導体が絶縁体で覆われた絶縁電線を含んでよく、芯線の一部は、導体がむき出しになった裸電線を含むこともできる。絶縁電線は信号線として使用されてよく、裸電線は、グラウンド線として使用できる。導体は、単線又は撚り線のいずれか一方を含むことができる。又、芯線の一部は、編組線と接地する撚り線からなるドレンワイヤを含むことができる。
【００２８】
絶縁シースは、編組線を被覆する絶縁体であってよく、ポリ塩化ビニル、ポリエチレン、フッ素樹脂などの被覆材料を使用できる。電線の端部にコネクタを接続しているとは、機械的に接続している形態を含み、電気的に接続している形態を含んでいる。
【００２９】
コネクタは、基本的に直方体であって矩形の結合面を有する角形コネクタであってよく、基本的に円筒形であって円形の結合面を有する丸形コネクタであってもよい。又、コネクタは、通常、めすコンタクトが挿入されたシェルタイプの多極のリセプタクルであってよく、通常、おすコンタクトが挿入されたシェルタイプの多極のプラグであってもよい。
【００３０】
コンタクトは、電線を圧着するコンダクタバレルを有する圧着コンタクトであってよく、圧着コンタクトは、電線を結線できる。コンダクタバレルは、電線を圧着する前に開いた形状をしているオープンクリンプバレルであってよく、電線を圧着する前に閉じた形状をしているクローズクリンプバレルであってもよい。
【００３１】
又、コンタクトは、スロットの両側面が電線の絶縁体を押し退け、導体を変形させて電気的接触がえられる圧接コンタクトであってよく、圧接コンタクトは、電線を結線できる。圧接コンタクトは、電線の絶縁体を突き刺し、導体を変形又は貫通するピアシング接続による圧接コンタクトであってもよい。
【００３２】
ハウジングは絶縁性を有してよく、絶縁性のハウジングとは、非導電性の材料からなるハウジングのことであってよく、例えば、合成樹脂を成型して、所望の形状の絶縁性のハウジングを得ることができる。ハウジングは、対向する一対の金型のみで成形されるような形状とすることが好ましい。
【００３３】
シェルは、導通を有してよく、導通を有するシェルとは、導電性の材料からなるシェルのことであってよく、例えば、シェルはアルミニウム合金板が打ち抜き加工された後に折り曲げ成形されて、所望の形状のシェルを得ることができる。シェルは、筒形状であってよく、筒形状が分割された形状であってもよく、シェルがハウジングの周囲を覆うことにより、シールドできる。
【００３４】
接続具は、導通を有してよく、導通を有する接続具とは、導電性の材料からなる接続具のことであってよく、接続具は、金属板を成形して、所望の形状の接続具を得ることができる。接続具は、導電性を有して成形容易な銅合金からなることが好ましいが、銅合金に限定されない。
【００３５】
接続具の一端部が電線の端面から所定の距離で絶縁シースと共に剥離された編組線に接続しているとは、前述したシース剥ぎ工程で、絶縁シースと共に編組線が剥離されるということを意味している。シース剥ぎ工程では、編組線を傷つけないように絶縁シースを剥離するよりも、絶縁シースの剥離と同時に編組線を剥離する方が熟練を要することなく加工容易であることが判明した。
【００３６】
又、接続具の一端部が電線の内部に挿入されるとは、接続具の一端部が絶縁シースと編組線と間に挿入されるということを意味している。一般に、編組線を被覆する絶縁シースを備える電線は、屈曲自在に敷設するために、絶縁シースと編組線との間に余裕を設けている。したがって、接続具の一端部を編組線の外周に挿入して、接続具の一端部を編組線に接続できる。
【００３７】
接続具の他端部がシェルに接続しているとは、後述するように、シェルに備わるクリンプバレルが接続具の他端部と共に電線の端部を圧着して接続する形態を含んでよく、接続具の他端部がねじなど締結具でシェルに固定される形態を含んでよく、接続具の他端部がシェルに圧入される形態を含むことができる。
【００３８】
（１）の発明によるワイヤリングハーネスは、シース剥ぎ工程では、絶縁シースの剥離と同時に編組線を剥離するので、編組線を傷つけないように絶縁シースを剥離するよりも、熟練を要することなく加工容易である。又、製造工程に編組反転工程を含まないので、一連の製造時間を短縮できる。予め適宜な接続具を用意しておけば、編組線と金属製のシェルを速やかに接続できる。
【００３９】
このように、（１）の発明によるワイヤリングハーネスは、製造が容易なシールドされたワイヤリングハーネスを提供できる。
【００４０】
（２）  前記シェルは、Ｕ字状に開口するクリンプバレルを有し、前記接続具は、一端部に形成された円管状の第１接続部と、他端部に形成されて、前記第１接続部の一方の管端の一部が突出して当該第１接続部の外周から所定の距離を維持して当該第１接続部の他方の管端に向けて反転する帯板状の第２接続部と、を有し、前記第１接続部は、前記電線の内部に挿入されて当該電線の端面から所定の距離で前記絶縁シースと共に剥離された前記編組線に接続し、前記クリンプバレルは、前記第２接続部と共に当該電線の端部を圧着して当該第２接続部を接続する（１）記載のワイヤリングハーネス。
【００４１】
（２）の発明によるワイヤリングハーネスは、シェルがＵ字状に開口するクリンプバレルを有している。接続具は、円管状の第１接続部と帯板状の第２接続部を有している。第１接続部は、接続具の一端部に形成されている。第２接続部は、第１接続部の一方の管端の一部が突出して、第１接続部の外周から所定の距離を維持して、第１接続部の他方の管端に向けて反転している。
【００４２】
そして、第１接続部は、電線の内部に挿入されて電線の端面から所定の距離で絶縁シースと共に剥離された編組線に接続している。クリンプバレルは、第２接続部と共に電線の端部を圧着して第２接続部を接続している。
【００４３】
（２）の発明によるワイヤリングハーネスは、クリンプバレルが電線の端部を圧着することにより、金属の第１接続部と金属の第２接続部とが、絶縁シースを介して電線の端部を強固に挟持しているので、第１接続部を安定して編組線に接続できる。又、絶縁シースを介して、円管状の第１接続部の周囲をクリンプバレルが均等に圧着するので、ケーブル保持力を向上できる。
【００４４】
（３）  前記シェルは、Ｕ字状に開口するクリンプバレルを有し、前記接続具は、一端部に形成された帯板状の第３接続部と、他端部に形成されて、前記第３接続部の基端部が当該第３接続部から所定の距離を維持して当該第３接続部の先端部に向けて反転する帯板状の第４接続部と、を有し、前記第３接続部は、前記電線の内部に挿入されて当該電線の端面から所定の距離で前記絶縁シースと共に剥離された前記編組線に接続し、前記クリンプバレルは、前記第４接続部と共に当該電線の端部を圧着して当該第４接続部を接続する（１）記載のワイヤリングハーネス。
【００４５】
（３）の発明によるワイヤリングハーネスは、シェルがＵ字状に開口するクリンプバレルを有している。接続具は、帯板状の第３接続部と帯板状の第４接続部を有している。第３接続部は、接続具の一端部に形成されている。第４接続部は、第３接続部の基端部が当第３接続部から所定の距離を維持して、第３接続部の先端部に向けて反転している。
【００４６】
そして、第３接続部は、電線の内部に挿入されて電線の端面から所定の距離で絶縁シースと共に剥離された編組線に接続している。クリンプバレルは、第４接続部と共に電線の端部を圧着して第４接続部を接続している。
【００４７】
（３）の発明によるワイヤリングハーネスは、クリンプバレルが電線の端部を圧着することにより、金属の第３接続部と金属の第４接続部とが、絶縁シースを介して電線の端部を強固に挟持しているので、第３接続部を安定して編組線に接続できる。又、第３接続部が帯板状に形成されているので、電線の内部に挿入することが容易である。
【００４８】
（４）  複数の芯線、これらの芯線を覆う編組線、及び編組線を被覆する絶縁シースを備える電線の端部にコネクタを接続するワイヤリングハーネスの製造方法であって、前記ワイヤリングハーネスは、前記芯線を結線するコンタクトと、これらのコンタクトを実装するハウジングと、このハウジングの周囲を覆う導電性のシェルと、一端部が前記編組線に接続し、他端部が前記シェルに接続する導電性の接続具と、を備え、前記電線の端面から所定の距離で前記絶縁シースと共に前記編組線を剥離するシース剥ぎ工程と、前記接続具の一端部を前記シース剥ぎ工程で処理された前記電線の内部に挿入して当該編組線に接続する第１の接続工程と、前記接続具の他端部を前記シェルに接続する第２の接続工程と、含むワイヤリングハーネスの製造方法。
【発明の効果】
【００４９】
本発明によるワイヤリングハーネスは、シース剥ぎ工程では、絶縁シースの剥離と同時に編組線を剥離するので、熟練を要することなく加工容易である。又、製造工程に編組反転工程を含まないので、一連の製造時間を短縮できる。予め適宜な接続具を用意しておけば、編組線と金属製のシェルを速やかに接続できる。本発明によるワイヤリングハーネスは、製造が容易なシールドされたワイヤリングハーネスを提供できる。
【発明を実施するための最良の形態】
【００５０】
以下、図面を参照して本発明を実施するための最良の形態を説明する。
【００５１】
図１は、本発明によるワイヤリングハーネスを構成する電線の一実施形態を示す斜視図であり、電線が端末処理される前の状態図である。図２は、前記実施形態による電線の斜視図であり、シース剥ぎ工程で編組線及び絶縁シースが剥離された状態図である。
【００５２】
図３は、前記実施形態による電線の斜視図であり、第１実施形態による接続具の第１接続部が電線の内部に挿入される前の状態図である。図４は、前記実施形態による電線の斜視図であり、第１実施形態による接続具の第１接続部が電線の内部に挿入される直前の状態図である。
【００５３】
図５は、本発明の第１実施形態によるワイヤリングハーネスの斜視図であり、クリンプバレルが電線の端部を圧着する前の状態図である。図６は、本発明の第１実施形態によるワイヤリングハーネスの斜視図であり、クリンプバレルが電線の端部を圧着した状態図である。
【００５４】
図７は、前記実施形態による電線の斜視図であり、第２実施形態による接続具の第３接続部が電線の内部に挿入される直前の状態図である。図８は、本発明の第２実施形態によるワイヤリングハーネスの斜視図であり、クリンプバレルが電線の端部を圧着する前の状態図である。図９は、本発明の第２実施形態によるワイヤリングハーネスの斜視図であり、クリンプバレルが電線の端部を圧着した状態図である。
【００５５】
最初に、図１から図６を参照して、本発明の第１実施形態によるワイヤリングハーネスを製造するための手順を説明する。
【００５６】
図１に示された電線１は、電線を編組線で覆うシールド線である。電線１は、複数の芯線１ａ、これらの芯線１ａを覆う筒状の金属の編組線１ｂ、及び編組線１ｂを被覆する絶縁シース１ｃで構成されている。電線１は、数本の芯線１ａが絶縁チューブ１ｄで束ねられている。数本の芯線１ａの内の１本は、グラウンド線となる裸電線である。又、電線１は、編組線１ｂと接地する撚り線からなるドレンワイヤ１ｅが設けられている。
【００５７】
最初に、電線１は、ワイヤリングハーネスを機器に敷設するために、その長さが調尺されて、電線１の端末が切断される（調尺・切断工程）。
【００５８】
次に、図２に示されるように、電線１の端面から所定の距離で絶縁シース１ｃが剥離（ストリップ）される共に、編組線１ｂが剥離される（シース剥ぎ工程）。図２において、芯線１ａを被覆する絶縁体が芯線１ａの先端から所定の距離で剥離（ストリップ）される（絶縁体剥ぎ工程）。
【００５９】
次に、図３及び図４に示されるように、シース剥ぎ工程及び絶縁体剥ぎ工程で処理された電線１の内部に、接続具３の第１接続部３１を挿入して、編組線１ｂに接続させる（第１の接続工程）。より具体的には、円筒状の第１接続部３１を絶縁シース１ｃと編組線１ｂとの間に挿入して、編組線１ｂに接続させる。
【００６０】
次に、芯線１ａは、図示しないコンタクトに結線される。例えば、芯線１ａは、図示しないコンタクトに圧着される（端子圧着工程）。そして、このコンタクトは、図５に示されたシールドコネクタ２に実装される。
【００６１】
図５において、シールドコネクタ２は、コンタクトが実装される絶縁性のハウジング２１と、ハウジング２１の周囲を囲う金属製のシェル２２と、を備えている。そして、シェル２２は、Ｕ字状に開口するクリンプバレル２２ａを有している。
【００６２】
図５において、接続具３の第２接続部３２は、クリンプバレル２２ａの基端部に当接されている。次に、図６に示されるように、クリンプバレル２２ａが第２接続部３２と共に電線１の端部を圧着して、第２接続部３２を接続できる（クリンプ工程及び第２の接続工程）。そして、第１実施形態によるワイヤリングハーネス１０を製造するための一連の工程が終了する。
【００６３】
次に、第１実施形態によるワイヤリングハーネス１０の作用を説明する。
【００６４】
本発明の第１実施形態によるワイヤリングハーネス１０は、シース剥ぎ工程では、絶縁シース１ｃの剥離と同時に編組線１ｂを剥離するので、編組線１ｂを傷つけないように絶縁シース１ｃを剥離するよりも、熟練を要することなく加工容易である。又、製造工程に編組反転工程を含まないので、一連の製造時間を短縮できる。図示された接続具３を用意しておけば、編組線１ｂと金属製のシェル２２を速やかに接続できる。
【００６５】
図３及び図４を参照すると、ワイヤリングハーネス１０は、導電性の接続具３を備えている。接続具３は、円管状の第１接続部３１と帯板状の第２接続部３２を有している。第１接続部３１は、接続具３の一端部に形成されている。第２接続部３２は、第１接続部３１の一方の管端の一部が突出して、第１接続部３１の外周から所定の距離を維持して、第１接続部３１の他方の管端に向けて反転している。
【００６６】
ワイヤリングハーネス１０は、クリンプバレル２２ａが電線１の端部を圧着することにより、金属の第１接続部３１と金属の第２接続部３２とが、絶縁シース１ｃを介して電線１の端部を強固に挟持しているので、第１接続部３１を安定して編組線１ｂに接続できる。又、絶縁シース１ｃを介して、円管状の第１接続部３１の周囲をクリンプバレル２２ａが均等に圧着するので、ケーブル保持力を向上できる。
【００６７】
次に、図７から図９を参照して、本発明の第２実施形態によるワイヤリングハーネスを製造するための手順を説明する。なお、調尺・切断工程から絶縁体剥ぎ工程までの製造工程は、第１実施形態によるワイヤリングハーネスを製造するための手順と同じであるので、説明を割愛する。
【００６８】
図７に示されるように、シース剥ぎ工程及び絶縁体剥ぎ工程で処理された電線１の内部に、接続具４の第３接続部４１を挿入して、編組線１ｂに接続させる（第１の接続工程）。より具体的には、帯板状の第３接続部４１を絶縁シース１ｃと編組線１ｂとの間に挿入して、編組線１ｂに接続させる。
【００６９】
次に、芯線１ａは、図示しないコンタクトに結線される。例えば、芯線１ａは、図示しないコンタクトに圧着される（端子圧着工程）。そして、このコンタクトは、図８に示されたシールドコネクタ２に実装される。
【００７０】
図８において、シールドコネクタ２は、コンタクトが実装される絶縁性のハウジング２１と、ハウジング２１の周囲を囲う金属製のシェル２２と、を備えている。そして、シェル２２は、Ｕ字状に開口するクリンプバレル２２ａを有している。
【００７１】
図８において、接続具４の第４接続部４２は、クリンプバレル２２ａの基端部に当接されている。次に、図９に示されるように、クリンプバレル２２ａが第４接続部４２と共に電線１の端部を圧着して、第４接続部４２を接続できる（クリンプ工程及び第２の接続工程）。そして、第２実施形態によるワイヤリングハーネス２０を製造するための一連の工程が終了する。
【００７２】
次に、第２実施形態によるワイヤリングハーネス２０の作用を説明する。
【００７３】
本発明の第２実施形態によるワイヤリングハーネス２０は、シース剥ぎ工程では、絶縁シース１ｃの剥離と同時に編組線１ｂを剥離するので、編組線１ｂを傷つけないように絶縁シース１ｃを剥離するよりも、熟練を要することなく加工容易である。又、製造工程に編組反転工程を含まないので、一連の製造時間を短縮できる。図示された接続具４を用意しておけば、編組線１ｂと金属製のシェル２２を速やかに接続できる。
【００７４】
図７を参照すると、ワイヤリングハーネス２０は、導電性の接続具４を備えている。接続具４は、帯板状の第３接続部４１と帯板状の第４接続部４２を有している。第３接続部４１は、接続具４の一端部に形成されている。第４接続部４２は、第３接続部４１の基端部が第３接続部４１から所定の距離を維持して、第３接続部４１の先端部に向けて反転している。
【００７５】
ワイヤリングハーネス２０は、クリンプバレル２２ａが電線１の端部を圧着することにより、金属の第３接続部４１と金属の第４接続部４２とが、絶縁シース１ｃを介して電線１の端部を強固に挟持しているので、第３接続部４１を安定して編組線に接続できる。又、第３接続部４１が帯板状に形成されているので、電線１の内部に挿入することが容易である。
【００７６】
このように、本発明の実施形態によるワイヤリングハーネスは、製造が容易なシールドされたワイヤリングハーネスを提供できる。
【００７７】
又、本発明の実施形態によるワイヤリングハーネスの製造方法は、製造工程に編組反転工程を含まないので、一連の製造時間を短縮できる。予め、接続具３又は接続具４を用意しておけば、編組線１ｂと金属製のシェル２２を速やかに接続できる。
【図面の簡単な説明】
【００７８】
【図１】本発明によるワイヤリングハーネスを構成する電線の一実施形態を示す斜視図であり、電線が端末処理される前の状態図である。
【図２】前記実施形態による電線の斜視図であり、シース剥ぎ工程で編組線及び絶縁シースが剥離された状態図である。
【図３】前記実施形態による電線の斜視図であり、第１実施形態による接続具の第１接続部が電線の内部に挿入される前の状態図である。
【図４】前記実施形態による電線の斜視図であり、第１実施形態による接続具の第１接続部が電線の内部に挿入される直前の状態図である。
【図５】本発明の第１実施形態によるワイヤリングハーネスの斜視図であり、クリンプバレルが電線の端部を圧着する前の状態図である。
【図６】本発明の第１実施形態によるワイヤリングハーネスの斜視図であり、クリンプバレルが電線の端部を圧着した状態図である。
【図７】前記実施形態による電線の斜視図であり、第２実施形態による接続具の第３接続部が電線の内部に挿入される直前の状態図である。
【図８】本発明の第２実施形態によるワイヤリングハーネスの斜視図であり、クリンプバレルが電線の端部を圧着する前の状態図である。
【図９】本発明の第２実施形態によるワイヤリングハーネスの斜視図であり、クリンプバレルが電線の端部を圧着した状態図である。
【図１０】従来技術によるワイヤリングハーネスを構成する電線の一実施形態を示す斜視図であり、電線が端末処理される前の状態図である。
【図１１】従来技術による製造工程で端末処理された電線の斜視図であり、シース剥ぎ工程及び編組切断工程が実施された状態図である。
【図１２】従来技術による製造工程で端末処理された電線の斜視図であり、編組線が絶縁シース上に反転された状態図である。
【図１３】従来技術による製造工程で端末処理された電線の斜視図であり、芯線を被覆する絶縁体が剥離された状態図である。
【図１４】従来技術による製造工程で端末処理された電線の斜視図であり、銅箔テープが反転した編組線に巻回された状態図である。
【図１５】従来技術によるワイヤリングハーネスの斜視図であり、クリンプバレルが電線の端部を圧着する前の状態図である。
【図１６】従来技術によるワイヤリングハーネスの斜視図であり、クリンプバレルが電線の端部を圧着した状態図である。
【符号の説明】
【００７９】
１  電線
１ａ  芯線
１ｂ  編組線
１ｃ  絶縁シース
２  シールドコネクタ（コネクタ）
３・４  接続具
１０・２０  ワイヤリングハーネス
２１  ハウジング
２２  シェル
【図１】
2010033726.tif 000003
【図２】
2010033726.tif 000004
【図３】
2010033726.tif 000005
【図４】
2010033726.tif 000006
【図５】
2010033726.tif 000007
【図６】
2010033726.tif 000008
【図７】
2010033726.tif 000009
【図８】
2010033726.tif 000010
【図９】
2010033726.tif 000011
【図１０】
2010033726.tif 000012
【図１１】
2010033726.tif 000013
【図１２】
2010033726.tif 000014
【図１３】
2010033726.tif 000015
【図１４】
2010033726.tif 000016
【図１５】
2010033726.tif 000017
【図１６】
2010033726.tif 000018